(57)【要約】【課題】行先案内表示盤の表示画面の表示前に誤表示を判定し、容易に誤表示を修正することができる。【解決手段】第１の表示画面生成部３ｂは、画面構成情報を受信した際に、画像情報を記憶した第１の記憶部３ａから、画像情報を取得し、第１の表示画面情報を生成する。表示画面情報送信部３ｄは、第１の表示画面生成部３ｂから第１の表示画面情報を取得し、表示画面情報受信部２ｂへ送信する。制御部２ｃは、表示画面情報受信部２ｂから第１の表示画面情報を取得し、誤りがあるか否かを判定し、誤りがある場合は、画面構成情報送信部２ａに画面構成情報を第１の表示画面生成部３ｂへ再送させる。表示盤３は、画面構成情報が再送された場合に、第１の表示画面情報を再度生成する。【選択図】図１
2020119162.tif 000002
【特許請求の範囲】
【請求項１】
生成した画面構成情報を送信する画面構成情報送信部を有するサーバと、
画像情報を記憶する第１の記憶部と、
受信した前記画面構成情報と、前記第１の記憶部から取得した前記画像情報とより、第１の表示画面情報を生成する第１の表示画面生成部と、
前記第１の表示画面生成部から取得した前記第１の表示画面情報を表示画面として表示する表示部と、
を有する表示盤と、
を有する表示システムにおいて、
前記表示盤は、前記表示部が前記第１の表示画面情報を表示する前に、前記第１の表示画面情報を、前記サーバへ送信する表示画面情報送信部を有し、
前記サーバは、前記第１の表示画面情報を受信する表示画面情報受信部と、
前記表示画面情報受信部から取得した前記第１の表示画面情報が誤っている場合に、前記表示画面情報送信部に、前記画面構成情報を前記表示盤に再送させる制御部と、
を有することを特徴とする表示システム。
【請求項２】
前記サーバは、前記画像情報を記憶する第２の記憶部と、
前記表示画面情報送信部から取得した前記画面構成情報と、前記第２の記憶部から取得した前記画像情報とにより、第２の表示画面情報を生成する第２の表示画面生成部と、
を有し、
前記制御部は、前記第２の表示画面生成部から取得した前記第２の表示画面情報と、前記表示画面情報受信部から取得した前記第１の表示画面情報とが合致しない場合に、前記第１の表示画面情報に誤りがあることを判定することを特徴とする、請求項１記載の表示システム。
【請求項３】
前記制御部は、前記表示画面情報受信部から取得した前記第１の表示画面情報に誤りがない場合に、前記表示部に前記第１の表示画面情報を表示させる、請求項１記載の表示システム。
【請求項４】
前記制御部は、前記表示画面情報受信部から取得した前記第１の表示画面情報に誤りがある場合に、前記表示部に、表示画面を消去させる、請求項１記載の表示システム。
【請求項５】
前記表示盤が複数であることを特徴とする、請求項１記載の表示システム。
【発明の詳細な説明】
【技術分野】
【０００１】
本発明は、サーバと表示盤とを有し、鉄道の旅客駅、路線バスのバスターミナルに設置されて、行先、出発時刻、運行の種別等の情報を乗客向けに案内する表示システムに関する。
【背景技術】
【０００２】
鉄道の旅客駅、路線バスのバスターミナルには、例えば図９（Ａ）に示すような行先、出発時刻、運行の種別等を案内するための行先案内表示盤１００が設置されている（例えば、特許文献１参照）。図９（Ａ）は、従来の行先案内表示盤を説明するための図であり、通常の表示状態を示している。
【０００３】
例えば、行先案内表示盤１００の表示は、先発の列車の行先が「なんば」、出発時刻が「０５：０２」、運行の種別が「特急」であることを表す。
行先案内表示盤１００は、制御装置にあたるサーバからの表示データによる指示で表示画面を表示する。また、行先案内表示盤１００の表示画面は、処理上いくつかの表示ブロックに分割されており、予め、表示ブロックごとに対応する全ての表示パターンを網羅した表示用の画像ファイルである表示画像を保存している。
【０００４】
表示データとは、サーバから行先案内表示盤１００へ送られ、表示画面を生成する際の元になるデータであり、画像ファイルは含まないが、表示画面で使用される表示画像の指定を数字または文字コードで含む。
【０００５】
例えば図９（Ｂ）に示すような行先案内表示盤（表示ブロック分割）１０１は、枠線の区切りごとに１つの表示ブロックとして、１つの表示画像が割り当てられることを表し、表示画像の集合で表示画面が生成される。図９（Ｂ）は、従来の行先案内表示盤を説明するための図であり、表示ブロックごとの区切り線を入れた状態を示している。
【０００６】
図１０（Ａ）に示すような行先案内表示盤（識別コード割当）１０２では、表示ブロックの割り当てごとに、表示ブロックの識別コードが割り当てられている。図１０（Ａ）は、従来の行先案内表示盤を説明するための図であり、表示ブロックを識別コード割当で表示した状態を示している。例えば、行先の表示ブロックに割り当てられた識別コードは、＄３である。
【０００７】
サーバからの表示データは、図１０（Ｂ）に示すように、行先案内表示盤（識別コード割当）１０２に対応する表示データ（識別コード）１０３を含んでいる。図１０（Ｂ）は、従来の行先案内表示盤を説明するための図であり、表示ブロックと表示データ電文との識別コード割当対応を示している。このため、行先案内表示盤１００の誤表示は、表示ブロック単位で発生する。
【０００８】
行先案内表示盤１００の異常な表示状態としては、例えば図１１に示すように、行先案内表示盤（空白）１０４と、行先案内表示盤（誤表示）１０５とがある。図１１は、従来の行先案内表示盤を説明するための図であり、（Ａ）は、誤表示（空白）の事例を示し、（Ｂ）は、誤表示（異常情報表示）の事例を示している。
【０００９】
行先案内表示盤１００は、表示データに基づいて、表示ブロックごとに展開された表示画像により生成された表示展開データを表示画面としてディスプレイに表示する。表示展開データは、表示データを元に、表示ブロックごとに、行先案内表示盤１００が予め保持する表示画像を展開した画像ファイルである。また、表示展開データは、ディスプレイに表示される表示画面の元になる。
【先行技術文献】
【特許文献】
【００１０】
【特許文献１】特開２０１７−０５６７７２号公報
【発明の概要】
【発明が解決しようとする課題】
【００１１】
しかし、従来の行先表示盤１００は、受信した表示データと表示画像とにより表示展開データを生成するため、表示データまたは表示画像に異常がある場合に、異常な表示展開データが生成されて誤表示を発生してしまう。
【００１２】
これは、行先案内表示盤１００が、通信経路のノイズによる表示データの文字化け、列車のダイヤの更新の際の表示画像の更新漏れ等により、意図しない表示展開データを生成することによる。
【００１３】
このため、従来の行先表示盤１００は、実際に表示展開データが表示画面として表示されるまで、誤表示が判定できず、係員の目視による判断や、客からの情報提供により誤表示の修正を行っていた。
【００１４】
本発明はこのような点を鑑みてなされたものであり、表示盤とサーバとを有する表示盤システムにおいて、容易に誤表示を修正することができる表示システムを提供することを目的とする。
【課題を解決するための手段】
【００１５】
本発明の一観点によれば、生成した画面構成情報を送信する画面構成情報送信部を有するサーバと、画像情報を記憶する第１の記憶部と、受信した画面構成情報と、第１の記憶部から取得した画像情報とより、第１の表示画面情報を生成する第１の表示画面生成部と、第１の表示画面生成部から取得した第１の表示画面情報を表示画面として表示する表示部と、を有する表示盤と、を有する表示システムにおいて、表示盤は、表示部が第１の表示画面情報を表示する前に、第１の表示画面情報を、サーバへ送信する表示画面情報送信部を有し、サーバは、第１の表示画面情報を受信する表示画面情報受信部と、表示画面情報受信部から取得した第１の表示画面情報が誤っている場合に、表示画面情報送信部に、画面構成情報を表示盤に再送させる制御部と、を有することを特徴とする表示システムが提供される。
【発明の効果】
【００１６】
開示の技術によれば、行先案内表示盤の表示画面の表示前に誤表示を判定し、容易に誤表示を修正することができる表示システムを提供することができる。
【図面の簡単な説明】
【００１７】
【図１】第１の実施の形態の表示システムを説明するための図である。
【図２】第２の実施の形態の行先案内表示システムを説明するための図である。
【図３】第２の実施の形態の制御装置のハードウェア構成例を示す図である。
【図４】第２の実施の形態の制御装置のテーブルの一例を示す図であり、（Ａ）は、表示データ電文であり、（Ｂ）は、表示指示電文である。
【図５】第２の実施の形態の行先案内表示盤のハードウェア構成例を示す図である。
【図６】第２の実施の形態の行先案内表示盤のテーブルの一例を示す図であり、（Ａ）は、表示展開データ電文であり、（Ｂ）は、表示指示応答電文である。
【図７】第２の実施の形態の行先案内表示システムで実行される行先案内表示盤の表示処理のシーケンス図その１である。
【図８】第２の実施の形態の行先案内表示システムで実行される行先案内表示盤の表示処理のシーケンス図その２である。
【図９】従来の行先案内表示盤を説明するための図であり、（Ａ）は、通常の表示状態を示し、（Ｂ）は、表示ブロックごとの区切り線を入れた状態を示している。
【図１０】従来の行先案内表示盤を説明するための図であり、（Ａ）は、表示ブロックを識別コード割当で表示した状態を示し、（Ｂ）は、表示ブロックと表示データ電文との識別コード割当対応を示している。
【図１１】従来の行先案内表示盤を説明するための図であり、（Ａ）は、誤表示（空白）の事例を示し、（Ｂ）は、誤表示（異常情報表示）の事例を示している。
【発明を実施するための形態】
【００１８】
以下、図面を参照して実施の形態を詳細に説明する。
［第１の実施の形態］
まず、第１の実施の形態の表示システム１について図１を用いて説明する。図１は、第１の実施の形態の表示システムを説明するための図である。
【００１９】
表示システム１は、図示しない上位装置から案内情報を受信し、所定の画面を構成する指示である画面構成情報を生成するサーバ２と、サーバ２から画面構成情報を受けて生成された画像データである表示画面情報により表示する表示盤３とを有する。なお、サーバ２と接続された表示盤３は、複数あってもよい。
【００２０】
サーバ２は、画面構成情報送信部２ａと、表示画面情報受信部２ｂと、制御部２ｃと、第２の記憶部２ｄと、第２の表示画面生成部２ｅとを有する。
画面構成情報送信部２ａは、生成した画面構成情報を表示盤３へ送信する。
【００２１】
表示画面情報受信部２ｂは、表示盤３で生成された第１の表示画面情報を表示盤３から受信する。
制御部２ｃは、表示画面情報受信部２ｂから第１の表示画面情報を取得し、誤りがある場合に、画面構成情報送信部２ａに、画面構成情報を表示盤３へ再送させる。
【００２２】
次に、制御部２ｃは、第２の表示画面生成部２ｅから取得した第２の表示画面情報と、表示画面情報受信部２ｂから取得した第１の表示画面情報とが合致しない場合に、第１の表示画面情報に誤りがあることを判定する。また、制御部２ｃは、第１の表示画面情報に誤りがあることを判定しない場合に、表示部３ｃに第１の表示画面情報を表示させる。
【００２３】
なお、制御部２ｃは、表示画面情報受信部２ｂから取得した第１の表示画面情報に誤りがあることを判定した場合に、表示部３ｃに、表示画面を消去させてもよい。
第２の記憶部２ｄは、画像情報を記憶する。画像情報は、例えばＪＰＥＧ（Joint Photographic Experts Group）等の拡張子を持つ画像ファイルであり、表示される可能性がある全パターンが予め保持されている。
【００２４】
第２の表示画面生成部２ｅは、画面構成情報送信部２ａから取得した画面構成情報と、第２の記憶部２ｄから取得した画像情報とにより、第２の表示画面情報を生成する。
表示盤３は、第１の記憶部３ａと、第１の表示画面生成部３ｂと、表示部３ｃと、表示画面情報送信部３ｄとを有する。
【００２５】
第１の記憶部３ａは、画像情報を記憶する。画像情報については、第２の記憶部２ｄで記憶されるものと同様であるが、例えば画像情報の更新の際に不具合が発生していると、第２の記憶部２ｄと保持されている画像情報と異なる場合がある。
【００２６】
第１の表示画面生成部３ｂは、受信した画面構成情報と、第１の記憶部３ａが記憶した画像情報とから、第１の表示画面情報を生成する。
表示部３ｃは、第１の表示画面生成部３ｂから取得した第１の表示画面情報を表示する。ただし、表示部３ｃは、サーバ２の制御部２ｃが、第１の表示画面情報による表示画像の正否を判定する前は第１の表示画面情報による表示画面を表示せず、第１の表示画面情報に誤りがあると判定した場合にも、表示しない。また、表示部３ｃは、第１の表示画面生成部３ｂを参照し、画面構成情報の再送があった場合に、表示画面を消去してもよい。
【００２７】
表示画面情報送信部３ｄは、サーバ２へ、第１の表示画面情報を表示する前に送信する。
次にこのような表示システム１が、表示盤３に表示画面を表示するまでの流れについて説明する。
【００２８】
画面構成情報送信部２ａは、図示しない上位装置から受信した案内等を含む情報から画面構成情報を生成し、表示盤３の第１の表示画面生成部３ｂへ送信する。第１の表示画面生成部３ｂは、受信した画面構成情報と、第１の記憶部３ａから取得した画像情報とにより、第１の表示画面情報を生成する。
【００２９】
表示画面情報送信部３ｄは、第１の表示画面生成部３ｂから取得した第１の表示画面情報を表示画面情報受信部２ｂへ送信する。
制御部２ｃは、表示画面情報受信部２ｂから取得した第１の表示画面情報に、誤りがあるか否かを判定し、誤りがある場合は、画面構成情報送信部２ａに画面構成情報を第１の表示画面生成部３ｂへ再送させる。
【００３０】
なお、制御部２ｃは、送信した画面構成情報と、第２の記憶部２ｄから取得した画像情報とより、生成された第２の表示画面情報と、第１の表示画面情報とを照合することにより、第１の表示画面情報に誤りがあるか否かを判定してもよい。
【００３１】
表示盤３は、画面構成情報を再送された場合に、第１の表示画面情報を再度生成する。なお、制御部２ｃは、例えば、第１の表示画面情報に誤りがある場合に、表示部３ｃに表示画面を消去させてもよい。
【００３２】
最後に制御部２ｃは、第１の表示画面情報に誤りがない場合に、表示部３ｃに第１の表示画面情報を表示画面として表示させる。
これにより、表示システム１は、第１の表示画面情報に誤りがあるか否かを表示部３ｃに表示する前に判定することができる。また、誤りがある場合に表示システム１は、画面構成情報を再送することで、再度第１の表示画面情報を生成させ、容易に誤表示を修正することができる。
【００３３】
［第２の実施の形態］
第２の実施の形態では、第１の実施の形態について、駅等における行先案内表示で用いられる場合をより具体的に説明する。まず、第２の実施の形態の行先案内表示システム１０について、図２を用いて説明する。図２は、第２の実施の形態の行先案内表示システムを説明するための図である。
【００３４】
第２の実施の形態の行先案内表示システム１０は、制御装置２０と、コンコース行先案内表示盤３０ａおよびホーム行先案内表示盤３０ｂを含む行先案内表示盤３０と、運用操作卓４０とを有する。ここで、コンコース行先案内表示盤３０ａと、ホーム行先案内表示盤３０ｂとについては、表示が一部異なるが本質的には同じものであるため、以後、行先案内表示盤３０として説明する。
【００３５】
行先案内表示システム１０は、駅等に設置され、運行情報を元にして、列車の発車時刻、種別、行先、案内情報等を顧客に対して表示する。なお、行先案内表示システム１０は、第１の実施の形態の表示システム１の一部の機能を含む。
【００３６】
制御装置２０は、上位装置から受信する運行情報を元にして、行先案内表示盤３０の表示画面の元になる表示データを作成し、送信する。なお、制御装置２０は、第１の実施の形態のサーバ２の一部の機能を含む。
【００３７】
制御装置２０は、予め保持していた表示画像と、表示データとから判定用の表示展開データを生成し、行先案内表示盤３０から受信した表示展開データと照合し、誤りがあるか否かを判定する。また、制御装置２０は、制御装置２０で生成した表示展開データを正とし、行先案内表示盤３０で生成した表示展開データと異なる場合は、誤りがあると判定する。なお、表示データは、文字、数字等による表示画像の指定を含み、表示画像と、表示展開データとは、例えばＪＰＥＧ等の拡張子を持つ画像ファイルである。
【００３８】
制御装置２０は、行先案内表示盤３０から受信した表示展開データに誤りがある場合に、表示データを行先案内表示盤３０へ再送する。さらに制御装置２０は、行先案内表示盤３０から受信した表示展開データに誤りがない場合は、行先案内表示盤３０に表示展開データを表示画面として表示させるための表示指示電文を送信する。
【００３９】
行先案内表示盤３０は、制御装置２０から表示データを受信し、表示データを元に、予め保存していた表示画像を展開し、表示画像の集合として表示展開データを生成する。なお、行先案内表示盤３０は、第１の実施の形態の表示盤３の一部の機能を含む。
【００４０】
行先案内表示盤３０は、表示展開データを表示画面として実際に表示する前に、制御装置２０へ送信する。そして、行先案内表示盤３０は、制御装置２０から表示指示電文を受信することにより、表示展開データを表示画面として表示し、制御装置２０へ表示指示応答電文を送信する。
【００４１】
運用操作卓４０は、制御装置２０の運用操作に使用され、列車のダイヤ更新の際に、行先案内表示盤３０のデータを更新させる等の用途で使用される。
次に、制御装置２０のハードウェア構成例について、図３と図４とを用いて説明する。図３は、第２の実施の形態の制御装置のハードウェア構成例を示す図である。
【００４２】
図３に示すような制御装置２０は、制御部２１、ディスプレイ２２、キーボード２３を備える。
制御部２１は、ＣＰＵ２１ａによって装置全体が制御されている。ＣＰＵ２１ａには、バス２１ｇを介してＲＡＭ２１ｂと複数の周辺機器とが接続されている。ＲＡＭ２１ｂは、制御部２１の主記憶装置として使用される。ＲＡＭ２１ｂには、ＣＰＵ２１ａに実行させるＯＳのプログラムや制御用のアプリケーションプログラムが格納される。また、ＲＡＭ２１ｂには、ＣＰＵ２１ａによる処理に必要な各種データが格納される。
【００４３】
処理に必要な各種データとしては、図４に示すような表示データ電文７０と、表示指示電文７１とがある。図４は、第２の実施の形態の制御装置のテーブルの一例を示す図であり、（Ａ）は、表示データ電文であり、（Ｂ）は、表示指示電文である。
【００４４】
表示データ電文７０は、制御装置２０から行先案内表示盤３０へ送信される表示データを含み、表示データ（識別コード）１０３の一例である。ただし、表示データとは、制御装置２０から行先案内表示盤３０へ送られ、表示画面を生成する際の元になるデータであり、画像ファイルは含まないが、表示画面で使用される表示画像の指定を数字または文字コードで含む。このため、行先案内表示盤３０は、実際の表示画面を表示するためには、画像ファイルである表示展開データを生成する必要がある。
【００４５】
また、表示データ電文７０は、制御コードと、発順と、列車番号と、番線と、種別と、行先と、先着Ａと、先着Ｂと、接続と、切離と、時刻時分と、両数と、ダミーとの項目を有する。それぞれの項目のフィールドは、項目名に応じた表示画像の指定が格納され、それぞれの表示ブロックに対応する。
【００４６】
表示指示電文７１は、制御装置２０から送信される、行先案内表示盤３０へ表示画面を表示させる指示を含む電文である。また、表示指示電文７１は、この電文が表示指示電文７１であることを識別させるための制御コードの項目を含む。
【００４７】
バス２１ｇに接続されている周辺機器としては、ＨＤＤ２１ｃ、通信インタフェース２１ｄ、グラフィック制御部２１ｅ、入出力インタフェース２１ｆがある。ＨＤＤ２１ｃは、制御部２１の補助記憶装置として使用される。ＨＤＤ２１ｃには、ＯＳプログラム、アプリケーションプログラムが格納される。また、ＨＤＤ２１ｃには、ＣＰＵ２１ａによる処理に必要な各種データが格納される。なお、補助記憶装置としては、ＳＳＤなどの他の種類の不揮発性記憶装置を使用することもできる。
【００４８】
処理に必要な各種データとしては、表示データ電文７０と、表示指示電文７１とがある。
グラフィック制御部２１ｅには、ディスプレイ２２が接続されている。グラフィック制御部２１ｅは、ＣＰＵ２１ａからの命令に従って処理中の画像をディスプレイ２２に表示させる。入出力インタフェース２１ｆには、キーボード２３が接続されている。入出力インタフェース２１ｆは、キーボード２３から送られてくる信号をバス２１ｇを介してＣＰＵ２１ａに送信する。
【００４９】
通信インタフェース２１ｄは、ネットワーク８０に接続されており、主に行先案内表示盤３０と運用操作卓４０との間でデータの送受信を行う。以上のようなハードウェア構成によって、本実施の形態の制御装置２０の処理機能を実現することができる。
【００５０】
次に、行先案内表示盤３０のハードウェア構成例について、図５と図６とを用いて説明する。図５は、第２の実施の形態の行先案内表示盤のハードウェア構成例を示す図である。
【００５１】
図５に示すような行先案内表示盤３０は、制御部３１、ディスプレイ３２、キーボード３３を備える。
制御部３１は、ＣＰＵ３１ａによって装置全体が制御されている。ＣＰＵ３１ａには、バス３１ｇを介してＲＡＭ３１ｂと複数の周辺機器とが接続されている。ＲＡＭ３１ｂは、制御部３１の主記憶装置として使用される。ＲＡＭ３１ｂには、ＣＰＵ３１ａに実行させるＯＳのプログラムや制御用のアプリケーションプログラムが格納される。また、ＲＡＭ３１ｂには、ＣＰＵ３１ａによる処理に必要な各種データが格納される。
【００５２】
処理に必要な各種データとしては、図６に示すような、行先案内表示盤３０で表示データと表示画像から生成される表示展開データ電文７２と、表示指示応答電文７３とがある。図６は、第２の実施の形態の行先案内表示盤のテーブルの一例を示す図であり、（Ａ）は、表示展開データ電文であり、（Ｂ）は、表示指示応答電文である。
【００５３】
表示展開データ電文７２は、行先案内表示盤３０が制御装置２０へ送信する電文であり、表示データを元に展開され、表示画面の元になる表示展開データの画像ファイルを含んでいる。また、表示展開データ電文７２は、制御コードと、情報Ａと、ダイヤデータとの項目を有する。
【００５４】
制御コードの項目は、この電文が表示展開データ電文７２であることを識別させる制御用の識別コードを含む。情報Ａの項目は、行先案内表示盤３０から送信された際に、制御装置２０側で、表示展開データ電文７２が正常に送受信されたか否かの判定に使用される。ダイヤデータの項目は、行先案内表示盤３０で生成された表示展開データの画像ファイルがＧｚｉｐ（GNU zip）形式等で圧縮された状態で含まれる。
【００５５】
表示指示応答電文７３は、行先案内表示盤３０が、制御装置２０から表示指示電文７１を受信すると、制御装置２０に送信する電文である。また、表示指示応答電文７３は、制御コードと、情報Ａとの項目を有する。制御コードの項目は、この電文が表示応答電文７３であることを識別させる制御用の識別コードを含む。情報Ａの項目は、表示展開データ電文７２に含まれる情報Ａと同様であり、制御装置２０側で、表示指示応答電文７３が正常に送受信されたか否かの判定に使用される。
【００５６】
バス３１ｇに接続されている周辺機器としては、ＨＤＤ３１ｃ、通信インタフェース３１ｄ、グラフィック制御部３１ｅ、入出力インタフェース３１ｆがある。ＨＤＤ３１ｃは、制御部３１の補助記憶装置として使用される。ＨＤＤ３１ｃには、ＯＳプログラム、アプリケーションプログラムが格納される。また、ＨＤＤ３１ｃには、ＣＰＵ３１ａによる処理に必要な各種データが格納される。なお、補助記憶装置としては、ＳＳＤなどの他の種類の不揮発性記憶装置を使用することもできる。
【００５７】
処理に必要な各種データとしては、表示展開データ電文７２と、表示指示応答電文７３とがある。
グラフィック制御部３１ｅには、ディスプレイ３２が接続されている。グラフィック制御部３１ｅは、ＣＰＵ３１ａからの命令に従って処理中の画像をディスプレイ３２に表示させる。入出力インタフェース３１ｆには、キーボード３３が接続されている。入出力インタフェース３１ｆは、キーボード３３から送られてくる信号をバス３１ｇを介してＣＰＵ３１ａに送信する。
【００５８】
通信インタフェース３１ｄは、ネットワーク８０に接続されており、主に制御装置２０との間でデータの送受信を行う。以上のようなハードウェア構成によって、本実施の形態の行先案内表示盤３０の処理機能を実現することができる。
【００５９】
なお、運用操作卓４０についても、行先案内表示盤３０とほぼ同様のハードウェア構成で、運用操作卓４０の処理機能を実現することができる。
次に、上記構成を有する行先案内表示システム１０で、制御装置２０から行先案内表示盤３０に表示データを送信してから、実際に行先案内表示盤３０のディスプレイ３２に表示画面が表示されるまでの表示処理の流れについて図７と図８とを用いて説明する。
【００６０】
図７と図８とは、第２の実施の形態の行先案内表示システムで実行される行先案内表示盤の表示処理のシーケンス図である。
行先案内表示システム１０の表示処理の開始時点においては、制御装置２０が、図示しない上位より運行データを受信し、生成した表示指示用の表示データを生成したところである。
【００６１】
［ステップＳ０１］制御装置２０の制御部２１は、ネットワーク８０を介して、行先案内表示盤３０へ表示データ電文７０を送信する。表示データ電文７０は、表示データを含み、制御装置２０から行先案内表示盤３０へ送られ、行先案内表示盤３０で表示展開データを生成する際の元になるデータである。
【００６２】
［ステップＳ０２］行先案内表示盤３０の制御部３１は、制御装置２０から表示データ電文７０を受信する。
［ステップＳ０３］行先案内表示盤３０の制御部３１は、表示展開データを生成する。表示展開データは、表示データを元に、表示ブロックごとに、行先案内表示盤３０のＨＤＤ３１ｃが予め保持する表示画像を展開した画像ファイルである。
【００６３】
［ステップＳ０４］行先案内表示盤３０の制御部３１は、ネットワーク８０を介して制御装置２０へ表示展開データを含む表示展開データ電文７２を送信する。また、行先案内表示盤３０の制御部３１は、送信前に表示展開データをソフトウェア的に圧縮する。
【００６４】
［ステップＳ０５］制御装置２０の制御部２１は、行先案内表示盤３０より表示展開データ電文７２を受信する。
［ステップＳ０６］制御装置２０の制御部２１は、表示展開データ電文７２に含まれる情報Ａが正常か否かを判定する。表示展開データ電文７２の情報Ａの項目は、行先案内表示盤３０から制御装置２０への送信が、正常に行われているか否かをチェックするための項目である。
【００６５】
制御装置２０の制御部２１は、表示展開データ電文７２に含まれる情報Ａが正常であることを判定すると、次の処理は、ステップＳ０７へ進められる。また、制御装置２０の制御部２１は、表示展開データ電文７２に含まれる情報Ａが正常ではないことを判定すると、次の処理は、ステップＳ０１へ戻る。
【００６６】
なお、制御装置２０の制御部２１は、３回以上情報Ａが正常でないことを判定した場合に、表示処理を終了するような態様であってもよい。
［ステップＳ０７］制御装置２０の制御部２１は、表示展開データ電文７２に含まれる表示展開データを解凍する。表示展開データ電文７２に含まれる表示展開データは、送信時にソフトウェア的に圧縮されており、解凍が必要なためである。
【００６７】
［ステップＳ０８］制御装置２０の制御部２１は、ＨＤＤ２１ｃに保存されている表示データと、表示画像とより、画像ファイルである確認用表示展開データを生成する。確認用表示展開データは、行先案内表示盤３０が表示展開データを生成した際に使用した表示データと、表示画像とが正常であれば、受信した表示展開データと同一になる。
【００６８】
［ステップＳ０９］制御装置２０の制御部２１は、表示展開データと、確認用表示展開データとを照合する。
［ステップＳ１０］制御装置２０の制御部２１は、表示展開データと、確認用表示展開データの照合結果が同一か否かを判定する。
【００６９】
制御装置２０の制御部２１は、照合結果が同一であることを判定すると、次の処理は、ステップＳ１１へ進められる。また、制御装置２０の制御部２１は、照合結果が同一ではないことを判定すると、次の処理は、ステップＳ０１へ戻る。
【００７０】
なお、照合結果が同一ではない場合は、表示展開データが正常ではないため、そのまま行先案内表示盤３０のディスプレイ３２へ表示された場合に、誤表示が発生するパターンとなる。
【００７１】
［ステップＳ１１］制御装置２０の制御部２１は、表示指示電文７１を送信する。
［ステップＳ１２］行先案内表示盤３０の制御部３１は、表示指示電文７１を受信する。
【００７２】
［ステップＳ１３］行先案内表示盤３０の制御部３１は、ディスプレイ３２に表示画面を表示させる。
［ステップＳ１４］行先案内表示盤３０の制御部３１は、表示指示応答電文７３を送信する。
【００７３】
［ステップＳ１５］制御装置２０の制御部２１は、表示指示応答電文７３を受信する。
以上により、行先案内表示システム１０で、制御装置２０が行先案内表示盤３０に表示データを送信してから、実際に行先案内表示盤３０のディスプレイ３２に表示画面が表示されるまでの表示処理が終了する。
【００７４】
上記の行先案内表示システム１０では、制御装置２０と、行先案内表示盤３０と、運用操作卓４０と、ネットワーク８０とを有している。制御装置２０は、図示しない上位のサーバから運行情報を受信し、表示データを生成して、ネットワーク８０を介して行先案内表示盤３０へ表示データを含む表示データ電文７０を送信する。行先案内表示盤３０は、受信した表示データと、自ら予め保持していた表示画像とより、表示展開データを生成する。また、行先案内表示盤３０は、ディスプレイ３２の表示を更新させる前に、ネットワーク８０を介して、表示展開データを含む表示展開データ電文７２を制御装置２０に送信する。
【００７５】
制御装置２０は、送信済みの表示データと、予め自ら保存していた表示画像とより、確認用表示展開データを生成し、受信した表示展開データと照合し、同一か否かを判定する。制御装置２０は、確認用表示展開データと、受信した表示展開データとが同一である場合に、行先案内表示盤３０へ、表示指示電文７１を送信する。
【００７６】
行先案内表示盤３０は、表示指示電文７１を受信すると、作成済みの表示展開データを表示画面としてディスプレイ３２に表示し、制御装置２０へ、表示指示応答電文７３を送信する。
【００７７】
これにより、行先案内表示システム１０は、行先案内表示盤３０の表示展開データから生成される表示画面に誤表示があるか否かを、行先案内表示盤３０のディスプレイ３２に表示する前に判定することができる。また、誤りがある場合に、行先案内表示システム１０は、制御装置２０が行先案内表示盤３０に、表示データを再送することで、再度表示展開データを生成させ、容易に誤表示を修正することができる。
【符号の説明】
【００７８】
１  表示システム
２  サーバ
２ａ  画面構成情報送信部
２ｂ  表示画面情報受信部
２ｃ  制御部
２ｄ  第２の記憶部
２ｅ  第２の表示画面生成部
３  表示盤
３ａ  第１の記憶部
３ｂ  第１の表示画面生成部
３ｃ  表示部
３ｄ  表示画面情報送信部
１０  行先案内表示システム
２０  制御装置
２１  制御部
２１ａ  ＣＰＵ
２１ｂ  ＲＡＭ
２１ｃ  ＨＤＤ
２１ｄ  通信インタフェース
２１ｅ  グラフィック制御部
２１ｆ  入出力インタフェース
２１ｇ  バス
２２  ディスプレイ
２３  キーボード
３０  行先案内表示盤
３０ａ  コンコース行先案内表示盤
３０ｂ  ホーム行先案内表示盤
３１  制御部
３１ａ  ＣＰＵ
３１ｂ  ＲＡＭ
３１ｃ  ＨＤＤ
３１ｄ  通信インタフェース
３１ｅ  グラフィック制御部
３１ｆ  入出力インタフェース
３１ｇ  バス
３２  ディスプレイ
３３  キーボード
４０  運用操作卓
７０  表示データ電文
７１  表示指示電文
７２  表示展開データ電文
７３  表示指示応答電文
８０  ネットワーク
【図１】
2020119162.tif 000003
【図２】
2020119162.tif 000004
【図３】
2020119162.tif 000005
【図４】
2020119162.tif 000006
【図５】
2020119162.tif 000007
【図６】
2020119162.tif 000008
【図７】
2020119162.tif 000009
【図８】
2020119162.tif 000010
【図９】
2020119162.tif 000011
【図１０】
2020119162.tif 000012
【図１１】
2020119162.tif 000013